(57)【特許請求の範囲】
【請求項１】
軒と平行な方向に隣り合う屋根材を、その側端同士を突き合わせて配置し、軒棟方向に隣り合う屋根材を、前記の軒と平行な方向に隣り合う屋根材の突き合わせた側端が軒側の屋根材の幅方向の中央部に位置するように、軒側の屋根材の棟側端部の上に棟側の屋根材の軒側端部を重ねて配置した、屋根葺き構造であって、屋根材の棟側端部の両側部に切欠部を形成し、前記のように軒と平行な方向に隣り合う屋根材を側端同士を突き合わせて配置すると共に、この隣り合う屋根材の切欠部内に跨って裏打ち補強材を配置して成り、
前記裏打ち補強材は、横に隣り合う屋根材の切欠部が合致する形状に対応した部分を有するとともに、棟側の端部が切欠部より棟側にはみ出す形状に形成されていることを特徴とする屋根葺き構造。
【請求項２】
前記裏打ち補強材は、屋根材と野地板との間の隙間の形状に対応した三角形状の断面形状に形成されていることを特徴とする請求項１に記載の屋根葺き構造。
【発明の詳細な説明】
【技術分野】
【０００１】
本発明は、平板の屋根材を用いた屋根葺き構造に関するものである。
【背景技術】
【０００２】
平板スレートなど平板状の屋根材を用いて屋根葺きを行なうにあたっては、屋根材を千鳥に配置して施工する方法が一般的である（例えば、特許文献１等参照）。
【０００３】
図６は屋根材１を千鳥に配置して屋根葺きを行なう施工の一例を示すものであり、屋根材１はほぼ矩形に形成してある。そして図６（ａ）のように、軒と平行な方向に隣り合う屋根材１は、その側端同士を突き合わせて配置してあり、軒棟方向に隣り合う屋根材１は、軒側の屋根材１の棟側端部の上に棟側の屋根材１の軒側端部を重ねて配置してある。このとき、軒と平行な方向に隣り合う屋根材１の突き合わせ端部が軒側の屋根材１の軒と平行な幅方向での中央部に位置するように、軒側の屋根材１の上に棟側の屋根材１を重ねることによって、屋根材１を千鳥に配置することができる。
【先行技術文献】
【特許文献】
【０００４】
【特許文献１】特開２００１−９８７０４号公報
【発明の概要】
【発明が解決しようとする課題】
【０００５】
このように屋根材１を千鳥に配置して、屋根材１を軒棟方向に重ねて葺いていくと、軒と平行な方向に隣り合う屋根材１の突き合わせ端部は、図６（ｂ）に示すように、一段置きで一直線上に位置することになる。すなわち図６（ｃ）は、垂木６の上に張った野地板７の上面に屋根材１を葺いた状態を示す断面図であるが、この図にみられるように、軒棟方向の３段の屋根材１のうち、中央の段の屋根材１ａの中央部の下に、下の段の屋根材１ｂの突き合わせ端部が位置し、またこの中央の段の屋根材１ａの中央部の上に、上の段の屋根材１ｃの突き合わせ端部が位置するものであり、下の段の屋根材１ｂの突き合わせ端部と上の段の屋根材１ｃの突き合わせ端部は、中央の段の屋根材１ａの中央部において一致することになる。
【０００６】
このものにあって、上段の屋根材１ｃの突き合わせ端部の部分に施工時に作業者が乗るなどして、図６（ｃ）のイ矢印のように荷重が作用すると、上段の屋根材１ｃの側端部は下方へ撓み変形し、中段の屋根材１ａの中央部に下方へ屈曲させるように力が作用する。しかし、中段の屋根材１ａの中央部の下側には、下段の屋根材１ｂの側端部が位置しているだけであり、中段の屋根材１ａの中央部に下方へ屈曲させるように作用する力を下段の屋根材１ｂで強く受けることができず、中段の屋根材１ａの変形を抑制することはできない。このため、中段の屋根材１ａの中央部において縦に割れが発生し易いという問題が生じるものであった。
【０００７】
特に、中段の屋根材１ａの中央部が、図６（ｂ）のように垂木６と垂木６の間に位置していると、野地板７の撓み変形で、上記のような屋根材１ａの割れが生じ易くなるものである。なかでも近時、木材の高騰の影響から品質の低い野地板７が使用されることが多く、この場合には野地板７は荷重に対して容易に撓み変形するので、屋根材１ａに割れがより発生し易くなるものであった。
【０００８】
本発明は上記の点に鑑みてなされたものであり、施工時などに屋根材に割れが生じることを抑制することができる屋根葺き構造を提供することを目的とするものである。
【課題を解決するための手段】
【０００９】
本発明に係る屋根葺き構造は、軒と平行な方向に隣り合う屋根材１を、その側端同士を突き合わせて配置し、軒棟方向に隣り合う屋根材１を、前記の軒と平行な方向に隣り合う屋根材１の突き合わせた側端が軒側の屋根材１の幅方向の中央部に位置するように、軒側の屋根材１の棟側端部の上に棟側の屋根材１の軒側端部を重ねて配置した、屋根葺き構造であって、屋根材１の棟側端部の両側部に切欠部２を形成し、前記のように軒と平行な方向に隣り合う屋根材１を側端同士を突き合わせて配置すると共に、この隣り合う屋根材１の切欠部２内に跨って裏打ち補強材３を配置して成り、前記裏打ち補強材３は、横に隣り合う屋根材１の切欠部２が合致する形状に対応した部分を有するとともに、棟側の端部が切欠部２より棟側にはみ出す形状に形成されていることを特徴とするものである。
【００１０】
この発明によれば、下段の隣り合う屋根材１の突き合わせ端部と、上段の隣り合う屋根材１の突き合わせ端部が同一線上に一致しても、中段の屋根材１の下面には、下段の隣り合う屋根材１の切欠部２内に跨って配置された裏打ち補強材３が配置されており、中段の屋根材１の幅方向の中央部はこの裏打ち補強材３で補強されるものであり、施工時などにおいて作用する荷重で中段の屋根材１の中央部が撓み変形されることを裏打ち補強材３で防ぐことができ、屋根材１に割れが生じることを抑制することができるものである。
【００１１】
本発明においては、前記裏打ち補強材３は、屋根材１と野地板７との間の隙間の形状に対応した三角形状の断面形状に形成されていることが好ましい。
【発明の効果】
【００１５】
本発明によれば、下段の隣り合う屋根材１の突き合わせ端部と、上段の隣り合う屋根材１の突き合わせ端部が同一線上に一致しても、中段の屋根材１の下側には、下段の隣り合う屋根材１の切欠部２内に跨って配置された裏打ち補強材３が配置されており、中段の屋根材１の幅方向の中央部はこの裏打ち補強材３で補強されるものであり、施工時などにおいて作用する荷重で中段の屋根材１の中央部が撓み変形されることを裏打ち補強材３で防ぐことができ、屋根材１に割れが生じることを抑制することができるものである。
【図面の簡単な説明】
【００１６】
【図１】屋根葺き構造の一例を示すものであり、（ａ）（ｂ）（ｃ）はそれぞれ屋根葺きの施工状態の平面図である。
【図２】（ａ）は屋根材の平面図、（ｂ）は裏打ち補強材の平面図である。
【図３】屋根材と裏打ち補強材の製造の工程の一例を示す平面図である。
【図４】裏打ち補強材の一例を示すものであり、（ａ）乃至（ｄ）はそれぞれ平面図である。
【図５】（ａ）は屋根葺き状態を示す断面図、（ｂ）（ｃ）はそれぞれ裏打ち補強材の断面図である。
【図６】従来例を示すものであり、（ａ）（ｂ）は平面図、（ｃ）は断面図である。
【発明を実施するための形態】
【００１７】
以下、本発明の実施の形態を説明する。
【００１８】
図２（ａ）は本発明において用いる屋根材１の一例を示すものであり、平板スレートなど窯業系の水硬性材料の平板で作製してある。屋根材１は幅方向（軒と平行な方向）にやや長い略矩形に形成されるものであり、その棟側端部において両側端部にそれぞれ切欠部２が設けてある。切欠部２は棟方向と側方向の２辺で開放されるように形成されるものであり、その内側の側端縁を傾斜辺として形成してある。従って、このように屋根材１の左右両側部に切欠部２を設けることによって、屋根材１の棟側端部の中央部に台形の突出部１０が形成されるものである。１４は屋根材１に設けられた釘孔である。
【００１９】
図２（ｂ）は裏打ち補強材３の一例を示すものであり、平板スレートなど窯業系の水硬性材料の平板で作製してある。裏打ち補強材３は軒側の辺が短く、棟側の辺が長い台形に形成してある。
【００２０】
屋根材１は、セメント等の水硬性材料を主成分とする成形材料を長尺のシート状に成形し、この長尺帯状のシート状成形材４を所定形状に切断して、屋根材１と同形状の屋根成形材１１を作製した後、この屋根成形材１１を養生硬化することによって、作製することができる。図３はこのシート状成形材４を切断して屋根成形材１１を得る工程を示すものであり、シート状成形材４の長手方向に沿って２列に屋根成形材１１を取るようにしている。シート状成形材４から屋根成形材１１を切断して取ると、屋根成形材１１の切欠部２の部分は残ることになるが、２列の屋根成形材１１は各突出部１０の部分が対向して接するようにしてあり、屋根成形材１１の切欠部２の部分は２列の各屋根成形材１１の間に六角形として残ることになる。そしてこの六角形の部分をシート状成形材４の長手方向に沿って中央で半分に切断すると、裏打ち補強材３と同形・同寸の裏打ち補強成形材１２を得ることができる。このようにしてシート状成形材４を切断して得た屋根成形材１１と裏打ち補強成形材１２を養生硬化することによって、屋根材１と裏打ち補強材３を製造することができるものである。このように裏打ち補強材３は、屋根材１に切欠部２を形成するために切除して残るシート状成形材４の一部を利用して作製することができるものであり、裏打ち補強材３を作製するために別途特別な材料を用いるような必要がないものである。
【００２１】
裏打ち補強材３をこのように作製する場合には、屋根材１と同じ材質で形成されるが、これに限定されるものではない。裏打ち補強材３を屋根材１と異なる材質で形成する場合には、鉄、アルミニウム、陶器など不燃材で形成する他に、裏打ち補強材３は屋根材１で覆われて表面に露出しないので、プラスチック、再生プラスチック、紙や古紙を固めたもの、木材、木片を固めたものなど、不燃材でない任意の材質で形成することもできる。
【００２２】
次に、上記の屋根材１と裏打ち補強材３を屋根の野地板の上に葺き並べて行なう屋根葺きの施工について説明する。屋根材１は軒と平行な方向に、その側端面同士を突き合わせて当接させた状態で、並べて配置されるものであり、各屋根材１に設けた釘孔１４を通して野地板に釘打ちすることによって、固定するようにしてある。このように屋根材１を軒と平行な方向に配置すると、図１（ａ）に示すように、横に隣り合う屋根材１の両側部の切欠部２が台形状に合致する。そしてこの台形状に合致した切欠部２間に跨るように裏打ち補強材３を配置して嵌め込む。裏打ち補強材３は上記のように屋根材１に切欠部２を形成するために切除されるシート状成形材４で作製されるものであり、隣り合う屋根材１の両側部の切欠部２が合致して形成される台形状と同形状・同寸法に形成されている。このため、屋根材１との間に大きな隙間が生じることなく、裏打ち補強材３を切欠部２にはめ込んで配置することができるものである。裏打ち材３は特に固定する必要はないが、必要に応じて野地板に釘打ち固定するようにしてもよい。
【００２３】
上記のようにして軒と平行な方向に屋根材１を並べて取り付けることによって、１段目の屋根材１の施工を行なった後、この屋根材１より棟側に配置される屋根材１を上記と同様にして取り付け、隣り合う屋根材１の切欠部２に跨るように裏打ち補強材３をはめ込んで配置する。このようにして２段目の屋根材１を取り付けるにあたって、軒棟方向に隣り合う１段目と２段目の屋根材１は、１段目の屋根材１の棟側端部の上に２段目の屋根材１の軒側端部を重ねて配置されるものであり、１段目の屋根材１の釘孔１４の上を２段目の屋根材１で覆うようにしてある。このとき、２段目の屋根材１を軒と平行な方向に並べて配置するにあたって、図１（ｂ）のように、２段目の屋根材１の突き合わせ端部が、１段目の屋根材１の幅方向（軒と平行な方向）の中央部に位置するように、１段目の屋根材１の上に２段目の屋根材１を重ねて施工するものである。
【００２４】
このように２段目の屋根材１の施工を行なった後、同様にして３段目の屋根材１及び裏打ち補強材３の施工を行なう。３段目の屋根材１は、上記の１段目の屋根材１に対する２段目の屋根材１の施工と同様にして行なうものであり、３段目の屋根材１を軒と平行な方向に並べて配置するにあたって、図１（ｃ）のように、３段目の屋根材１の突き合わせ端部が、２段目の屋根材１の幅方向の中央部に位置するように、２段目の屋根材１の上に３段目の屋根材１を重ねて施工するものである。
【００２５】
以下同様にして、さらに多くの段数で屋根材１を葺き並べることによって、屋根葺きの施工を行なうことができるものである。そして上記のように、軒と平行な方向に隣り合う屋根材１の突き合わせ端部が、軒側の屋根材１の幅方向の中央部に位置するように、軒側の屋根材１の上に棟側の屋根材１を重ねることによって、屋根材１を千鳥に配置することができるものである。このとき、このように屋根材１を千鳥に配置して、屋根材１を軒棟方向に重ねていくと、軒と平行な方向に隣り合う屋根材１の突き合わせ端部は、一段置きで一直線上に位置することになる。すなわち３段に屋根材１を施工した図１（ｃ）にみられるように、２段目の屋根材１ａの中央部の下に、１段目の屋根材１ｂの突き合わせ端部が位置し、またこの２段目の屋根材１ａの中央部の上に、３段目の屋根材１ｃの突き合わせ端部が位置するものであり、１段目の屋根材１ｂの突き合わせ端部と３段目の屋根材１ｃの突き合わせ端部は、２段目の屋根材１ａの中央部において上下に一致することになる。
【００２６】
このように屋根材１ａの中央部において、下段の屋根材１ｂの突き合わせ端部と上段の屋根材１ｃの突き合わせ端部が一直線上に一致していると、既述の図６（ｃ）のように、施工時に作業者の体重などが荷重として作用すると屋根材１ａに割れが発生し易い。しかし上記のように、下段の隣り合う屋根材１ｂの切欠部２に跨って裏打ち補強材３が配置してあり、この裏打ち補強材３は屋根材１ａの中央部の下面に位置している。従って、施工時に作業者の体重などが荷重として作用して、屋根材１ａの中央部に下方へ撓み変形させる力が加わっても、屋根材１ａの中央部の下側には裏打ち補強材３が配置してあって、この力を裏打ち補強材３で受けて、屋根材１ａの中央部が下方へ撓み変形することを抑制することができるものであり、屋根材１ａに割れが発生することを防ぐことができるものである。
【００２７】
そして図１（ｃ）にみられるように、軒側の屋根材１の上に重ねて取り付けられる総ての屋根材１において、その中央部の下側に裏打ち補強材３が配置されているので、これらの総ての屋根材１を裏打ち補強材３で補強することができるものであり、施工時などに屋根材１に割れが生じることを防ぐことができるものである。
【００２８】
上記の図１及び図２の屋根葺き構造では、裏打ち補強材３を台形に形成するようにしたが、勿論、これに限定されるものではない。例えば図４の屋根葺き構造では、屋根材１に設ける切欠部２を三角形に形成してあり、横に隣り合う屋根材１の切欠部２が三角形状に合致するので、この合致させた切欠部２間に跨るように配置される裏打ち補強材３も三角形に形成してある。図４（ａ）の屋根葺き構造では屋根材１の両側端に切欠部２を小さく形成してあり、裏打ち補強材３を小さな三角形状に形成してある。これに対して図４（ｂ）の屋根葺き構造では三角形の切欠部２を大きく形成することによって屋根材１の全体形状を五角形に形成するようにしてあり、裏打ち補強材３も大きな三角形状に形成してある。
【００２９】
また裏打ち補強材３は、横に隣り合う屋根材１の切欠部２が合致する形状と同じに形成する他に、図４（ｃ）や図４（ｄ）のように、裏打ち補強材３の棟側の端部が切欠部２より棟側にはみ出す形状に形成してもよい。このように裏打ち補強材３を切欠部２より棟側にはみ出す大きさに形成すれば、この裏打ち補強材３の上に載置される屋根材１を広い面積で補強することができるものであり、裏打ち補強材３による補強効果を高く得ることができるものである。
【００３０】
図５（ａ）は野地板７の上に屋根材１を葺いた状態を示す断面図である。屋根材１は、軒側の屋根材１の棟側端部の上に棟側の屋根材１の軒側端部を重ねて屋根葺きをするため、屋根材１の棟側端部の下面と野地板７の上面との間には断面が細長い三角形状（クサビ形状）の隙間が形成されることになる。従って、上記の裏打ち補強材３を図５（ｂ）のように、この隙間の三角形状（クサビ形状）と同じ断面形状に形成すれば、裏打ち補強材３で屋根材１と野地板７の間の隙間を埋めることができるので、好適である。勿論、図５（ｃ）のように、厚みが一定の矩形断面に裏打ち補強材３を形成してもよい。
【符号の説明】
【００３１】
１  屋根材
２  切欠部
３  裏打ち補強材
４  シート状成形材
【図１】
0005453152.tif 000002
【図２】
0005453152.tif 000003
【図３】
0005453152.tif 000004
【図４】
0005453152.tif 000005
【図５】
0005453152.tif 000006
【図６】
0005453152.tif 000007